(57)【要約】      （修正有）【課題】正面側で視認できない部分から水漏れが生じても、水漏れを検知できる水漏れ検知用シートを提供する。【解決手段】シート体１は、ガイド部１ａ、ガイド部１ａの両側に設けられた重ね合せ部１ｂ、１ｃとからなり、ガイド部１ａの表面には、山形形状の水滴ガイド部材２が固定され、重ね合せ部１ｂの表面には、水滴ガイド部材２の下端より下方部分に外側に伸びた変色性シート３が取付けられ、水滴ガイド部材２の頂部２ａが配管４の背面側になるように配設してシート体１を配管４に巻き付け、重ね合せ部１ｂに重ね合せ部１ｃを貼り付けた時、水滴ガイド部材２の傾斜部２ｂ、２ｃ下端の下部に一定の間隔が形成され、かつ傾斜部２ｂ、２ｃの下端が変色性シート３の上方に位置するように構成されている。【選択図】図２
0003176434.tif 000002
【実用新案登録請求の範囲】
【請求項１】
配管に巻き付けて使用する水漏れ検知用シートにおいて、シート体は、ガイド部、このガイド部の両側に設けられた重ね合せ部とからなり、前記ガイド部の表面には、山形形状の水滴ガイド部材が固定され、前記一方の重ね合せ部の表面には、前記水滴ガイド部材の下端より下方部分に外側に伸びた変色性シートが取付けられ、前記水滴ガイド部材の頂部が配管の背面側になるように配設してシート体を配管に巻き付け、前記一方の重ね合せ部に他方の重ね合せ部を貼り付けた時、前記水滴ガイド部材の傾斜部下端の下部に一定の間隔が形成され、かつ該傾斜部の下端が変色性シートの上方に位置するように構成されていることを特徴とする水漏れ検知用シート。
【請求項２】
配管に巻き付けて使用する水漏れ検知用シートにおいて、シート体は、ガイド部、このガイド部の両側に設けられた重ね合せ部とからなり、前記ガイド部の表面には、山形形状の水滴ガイド部材が固定され、前記両方の重ね合せ部には前記水滴ガイド部材の下端より上方部分に外側に伸びた変色性シートが取付けられ、前記水滴ガイド部材の頂部が配管の背面側になるように配設してシート体を配管に巻き付け、一方の重ね合せ部に他方の重ね合せ部を貼り付けた時、正面側の前記両方の傾斜部が前記変色性テープ接続された構成となっていることを特徴とする水漏れ検知用シート。
【考案の詳細な説明】
【技術分野】
【０００１】
本考案は、水漏れを検知する水漏れ検知用シートに関する。
【背景技術】
【０００２】
水漏れ検知用シートは、給湯器に接続される給湯管や出湯管、また給水管、排水管等の配管類における水漏れの検知を要する箇所、また配管の継手部分における水漏れが起こる可能性がある箇所等に取付けて用いる。従来、水漏れ検知用シートとして例えば特許文献１、２及び非特許文献１等が挙げられる。
【０００３】
【特許文献１】特開平１０−３１７５２１号公報
【特許文献１】特開２００６−１１７８０７号公報
【非特許文献１】株式会社東光工業の製品「水侵入検知シール」
【０００４】
水漏れ検知用シートは、液体が付着すると乾燥状態とは異なる色相に変色するので、水漏れの有無を視認できる変色性シートとなっている。そこで、水漏れが起こる可能性がある箇所等の配管に巻き付けて使用する。
【考案の開示】
【考案が解決しようとする課題】
【０００５】
従来は、水漏れ検知用シートを単に配管に巻き付けて使用している。しかし、一般に配管の背面側は壁面となっているので、水漏れ検知用シートを配管に巻き付けたのみでは、水漏れ箇所が配管の背面側に生じた場合には視認できない。新築又は水周りのリフォーム後は、１滴も水漏れが無い状態にする必要がある。
【０００６】
本考案の課題は、正面側で視認できない部分から水漏れが生じても、水漏れを検知できる水漏れ検知用シートを提供することにある。
【課題を解決するための手段】
【０００７】
上記課題を解決するための本考案の請求項１は、配管に巻き付けて使用する水漏れ検知用シートにおいて、シート体は、ガイド部、このガイド部の両側に設けられた重ね合せ部とからなり、前記ガイド部の表面には、山形形状の水滴ガイド部材が固定され、前記一方の重ね合せ部の表面には、前記水滴ガイド部材の下端より下方部分に外側に伸びた変色性シートが取付けられ、前記水滴ガイド部材の頂部が配管の背面側になるように配設してシート体を配管に巻き付け、前記一方の重ね合せ部に他方の重ね合せ部を貼り付けた時、前記水滴ガイド部材の傾斜部下端の下部に一定の間隔が形成され、かつ該傾斜部の下端が変色性シートの上方に位置するように構成されていることを特徴とする。
【０００８】
上記課題を解決するための本考案の請求項２は、配管に巻き付けて使用する水漏れ検知用シートにおいて、シート体は、ガイド部、このガイド部の両側に設けられた重ね合せ部とからなり、前記ガイド部の表面には、山形形状の水滴ガイド部材が固定され、前記両方の重ね合せ部には前記水滴ガイド部材の下端より上方部分に外側に伸びた変色性シートが取付けられ、前記水滴ガイド部材の頂部が配管の背面側になるように配設してシート体を配管に巻き付け、一方の重ね合せ部に他方の重ね合せ部を貼り付けた時、正面側の前記両方の傾斜部が前記変色性テープ接続された構成となっていることを特徴とする。
【考案の効果】
【０００９】
配管の背面側及び側面側に水漏れが生じても、この水滴は水滴ガイド部材の傾斜部に沿って正面側に流れて変色性シートに付着し、変色性シートが変色して検知される。即ち、配管の背面側が壁面で正面側で視認できない場合でも、背面側及び側面側の水滴は正面側に流れるので、正面側に配設された変色性シートで検知できる。
【考案を実施するための最良の形態】
【００１０】
本考案の水漏れ検知用シートの第１の実施の形態を図１及び図２により説明する。柔軟性を有する厚さに形成されたプラスチック製のシート体１は、ガイド部１ａ、このガイド部１ａの両側に設けられた重ね合せ部１ｂ、１ｃとからなっている。ガイド部１ａの表面には、山形形状の水滴ガイド部材２が固定されている。この水滴ガイド部材２は、頂部２ａより両側に下方に向けて傾斜した傾斜部２ｂ、２ｃが形成されている。
【００１１】
重ね合せ部１ｂには、一方の傾斜部２ｂの下端より下方部分に例えば背景技術の項で述べた公知の変色性シート３が外側に伸びて取付けられている。重ね合せ部１ｃは、重ね合せ部１ｂに貼り付ける部分であり、貼り付けた場合、下端が変色性シート３及び傾斜部２ｂに重ね合わされないように、横幅の長さが形成され、かつ下端が斜め上方にカットされている。またシート体１を配管４に巻き付け、重ね合せ部１ｃを重ね合せ部１ｂに貼り合せた場合、傾斜部２ｂ、２ｃの下端に一定の間隔が形成され、かつ傾斜部２ｃの下部が変色性シート３の上方に位置するように形成されている。シート体１の裏面は全体又は重ね合せ部１ｃの裏面のみが粘着剤でコーティングされている。この粘着剤層には、使用時の便宜を図るため剥離紙等の剥離層を粘着層上に設けることが好ましい。
【００１２】
このように形成された水漏れ検知用シートは、水滴ガイド部材２の頂部２ａが水漏れ検知が必要な箇所の配管４部分の背面になるように配設し、重ね合せ部１ｂの上面に重ね合せ部１ｃの上面が一致するように巻き付け、重ね合せ部１ｂ上に重ね合せ部１ｃを貼り付ける。これにより、変色性シート３が配管４の正面に位置し、また水滴ガイド部材２の下端が変色性シート３の上方に配設される。これにより正面側の水漏れした水滴は直接変色性シート３に付着し、変色性シート３が変色して水漏れが検知される。
【００１３】
本実施の形態においては、配管４の背面側及び側面側に水漏れが生じても、この水滴５は水滴ガイド部材２の傾斜部２ｂ、２ｃに沿って流れて変色性シート３に付着し、変色性シート３が変色して検知される。即ち、配管４の背面側が壁面で正面側で視認できない場合でも、背面側及び側面側の水滴５は正面側に流れるので、正面側に配設された変色性シート３で検知できる。
【００１４】
本考案の第２の実施例を図３及び図４により説明する。前記第１の実施の形態は、一方の傾斜部２ｂの下端より下方部分に変色性シート３を取付けた。本実施の形態は、傾斜部２ｂ、２ｃの下端より上方部分に外側に伸びて変色性シート３ａ、３ｂを取付けた。変色性シート３ｂは傾斜部２ｃから重ね合せ部１ｃの端部まで設けられており、変色性シート３ａは重ね合せ部１ｃを重ね合せ部１ｂに貼り合わせた場合、正面側の傾斜部２ｂ、２ｃが変色シート３ａ、３ｂで接続された長さとなっている。従って、シート体１を配管４に巻き付け、重ね合せ部１ｃを重ね合せ部１ｂに貼り合わせると、正面側の傾斜部２ｂ、２ｃが変色性シート３ａ、３ｂで接続された構成となる。このため、本実施の形態においても、配管４の背面側及び側面側に水漏れが生じた水滴５は、水滴ガイド部材２の傾斜部２ｂ、２ｃに沿って流れる。この水滴５は変色性シート３ａ、３ｂに付着し、変色性シート３が変色して水漏れが検知される。
【００１５】
本実施の形態のように構成しても前記第１の実施の形態と同様の効果が得られる。なお、本実施の形態においては、傾斜部２ｂ、２ｃの下端に一定の間隔を形成しても形成しなくても良い。
【図面の簡単な説明】
【００１６】
【図１】本考案の水漏れ検知用シートの第１の実施の形態を示し、（ａ）は正面図、（ｂ）は底面図である。
【図２】図１の水漏れ検知用シートを配管に取付けた状態を示し、（ａ）は正面図、（ｂ）は側面図である。
【図３】本考案の水漏れ検知用シートの第２の実施の形態を示し、（ａ）は正面図、（ｂ）は底面図である。
【図４】図３の水漏れ検知用シートを配管に取付けた状態を示し、（ａ）は正面図、（ｂ）は側面図である。
【符号の説明】
【００１７】
１    シート体
１ａ  ガイド部
１ｂ、１ｃ  重ね合せ部
２    水滴ガイド部材
２ａ  頂部
２ｂ、２ｃ  傾斜部
３、３ａ、３ｂ  変色性シート
４    配管
【図１】
0003176434.tif 000003
【図２】
0003176434.tif 000004
【図３】
0003176434.tif 000005
【図４】
0003176434.tif 000006